(57)【要約】【課題】エレベータケージのケージドアとケージ壁との間のギャップを密閉することにより、走行の快適性を向上させ、軽量かつ経済的で単純な機械的構造で遮音性を得ることができるデバイスを提供する。【解決手段】ケージの走行中、エレベータケージ（１）のケージドア（３）とケージ壁（２）との間のギャップ（１１）を密閉するためのデバイスであって、密閉ストリップ（４）を含み、前記密閉ストリップ（４）は、少なくとも１つの壁（４１、４２）を有し、前記壁（４１、４２）は、前記ギャップ（１１）を前にして可逆的に引き伸ばしが可能であることを特徴とするデバイスを提供する。【選択図】      図１
2004284820.tif 000002
【特許請求の範囲】
【請求項１】
ケージの走行中、エレベータケージ（１）のケージドア（３）とケージ壁（２）との間のギャップ（１１）を密閉するためのデバイスであって、密閉ストリップ（４）を含み、前記密閉ストリップ（４）は、少なくとも１つの壁（４１、４２）を有し、前記壁（４１、４２）は、前記ギャップ（１１）を前にして可逆的に引き伸ばしが可能であることを特徴とする、デバイス。
【請求項２】
前記密閉ストリップ（４）は、弾性中空本体（８）であり、前記中空本体に、圧縮空気（５）を込める、および／または前記中空本体を真空化することができることを特徴とする、請求項１に記載のデバイス。
【請求項３】
前記密閉ストリップ（４）は、鉄製ストリップ（１０）および／または少なくとも１つの電磁石（９）を含み、前記鉄製ストリップ（１０）および前記電磁石（９）は作動可能であることを特徴とする、請求項１に記載のデバイス。
【請求項４】
前記鉄製ストリップ（１０）は、前記密閉ストリップ（４）に埋め込まれ、前記少なくとも１つの電磁石（９）は、ケージドアフレームに配設されることを特徴とする、請求項１に記載のデバイス。
【請求項５】
ケージの走行中、密閉ストリップ（４）によりエレベータケージ（１）のケージドア（３）とケージ壁（２）との間のギャップ（１１）を密閉するための方法であって、前記密閉ストリップ（４）は、少なくとも１つの壁（４１、４２）を有し、前記壁（４１、４２）は、前記ギャップ（１１）を前にして引き伸ばしが可能であることを特徴とする、方法。
【請求項６】
前記密閉ストリップ（４）に、圧縮空気（５）を空気圧式に込める、および／または空気圧式に真空化することを特徴とする、請求項５に記載の方法。
【請求項７】
前記密閉ストリップ（４）は、少なくとも１つの電磁石（９）および／または鉄製ストリップ（１０）により磁気的に作動される、請求項５に記載の方法。
【請求項８】
請求項１から４に記載のデバイスを備えた、エレベータ。
【発明の詳細な説明】
【技術分野】
【０００１】
本発明は、特許請求の範囲に記載されたエレベータケージのケージドアとケージ壁との間のギャップを密閉するデバイスに関する。
【背景技術】
【０００２】
高速エレベータケージには遮音性の問題が存在する。というのは、走行速度が上がると、シャフトに生じる走行騒音および空気の騒音が次第に大きくなり、あらゆる開口を突き抜けてケージ内部に入るため、走行の快適性が低減してしまうためである。振動減衰装置と組み合わせて、二層構造の壁とドアに絶縁材料のフィリングを用いた一般的な遮音とともに、静音動作の換気システムを用いると、適当な効果を達成することができる。しかしながら、音響実験によると、最小の開口がかなり大きな音を発することが分かっている。すなわち、ドアに関して言えば、ドアの開口断面全体の少なくとも１パーセントのドアギャップにより、このドアの外側で発生した音量の３分の１から２分の１が、反対側、すなわち、ケージ内部へ入る。自動ケージドアの場合、可動部品と固定部品との間の小さなギャップの形のこのような多数の通路が必須である。これらの通路は、直接的な摩擦接触を回避するために必要なものである。このようなギャップは、以下の場所に存在する。すなわち、ドア敷居と下側ドアパネル縁との間、ドアパネル面と入口側柱との間の横方向、伸縮式ドアの場合の２つのドアパネルの間、および入口ヘッダとドアパネルの上側部分との間である。この問題は、厳しい公差と非常に高い精度をもって製造および組み立てを行って、これらのギャップを最小寸法に低減させることにより部分的に解消される。これは、コストのかかる方法であり、実質的に満足できるものではない。
【０００３】
この問題は一般的に考慮されておらず、その結果、これらのギャップがまったく密閉されていないことは、米国特許第３４２５１６２号明細書から明らかである。同特許明細書の図１から図５において、導入部に記載された場所に大きな音の通路を容易に認識できる。
【０００４】
欧州特許第０４１８５１０号明細書は、自動ドアを備えたエレベータケージの場合に、音に対してドアを密閉するためのデバイスに関する。これらのドアは、通常、ドア柱とドアパネルとの間、ヘッダとドアパネルとの間、伸縮式ドアの場合、内側ドアパネルと外側ドアパネルとの間、ドアパネルの下側とドア敷居との間に小さなギャップを有し、ドアが動いている間、可動部品と固定部品の間の接触を回避する。これらのギャップを密閉し被覆するために、ドアパネルに、ドアの閉状態で、ギャップを閉じる縦方向の柱シールと、ドアパネルの上側にある摺動ヘッダシールと、ドア敷居にある敷居シールと、ドアパネルの前縁にある縦方向のドア縁シールとがある。これらのシールは、ドアが閉じられるとき、すべてのギャップを包囲するように閉鎖することにより、ケージの外側で機械的に発生した騒音に起因する音の通過が大幅に防止される。
【０００５】
このような公知の機器の欠点は、実質的な機械的投資と、それに関連する多大な製造コストである。さらなる欠点は、調節と保守整備操作に費用がかかることである。
【０００６】
【特許文献１】米国特許第３４２５１６２号明細書
【特許文献２】欧州特許第０４１８５１０号明細書
【発明の開示】
【発明が解決しようとする課題】
【０００７】
本発明の目的は、上述した欠点がなく、ドアとケージとの間のギャップを実質的になくすデバイスを作製することである。特に、ドアの動きとは関係なく動作する簡易構造の密閉デバイスが作製される。
【課題を解決するための手段】
【０００８】
この目的は、特許請求の範囲に特徴付けられた本発明により達成される。
【０００９】
本発明によれば、ケージの走行中、エレベータケージのケージドアとケージ壁との間のギャップを密閉するデバイスが、少なくとも１つの壁を有する密閉ストリップを含み、この壁は、ギャップを前にして可逆的に引き伸ばすことができる。
【００１０】
本発明により達成される利点は、壁を引き伸ばすことにより、ケージドアが閉じられたときに、さまざまなギャップが存在しないか、または不利な結果が生じず、必要に応じて、対応するデバイスが実質的に据え付け可能なことである。好適には、密閉ストリップは、走行中にのみ作動され、壁は、ギャップの最前部に引き伸ばされる。
【００１１】
好適には、密閉ストリップは、弾性中空本体であり、この中空本体に圧縮空気を込める、および／または中空本体を真空化することができる。この実施形態により達成される利点は、シールが閉状態にのみ能動的に密閉され、ドアが動いている間は接触することがなく、走行中にのみ（必要に応じて、特定の速度からのみ）係合状態になり、したがって、ドアの動き、閉鎖プロセス、またはドアのロックに影響を及ぼすことがないことである。
【００１２】
第２の実施形態によれば、密閉ストリップは、電気的に作動可能な鉄製ストリップおよび少なくとも１つの電磁石を含むことが好ましい。この実施形態により達成される利点は、密閉デバイスの簡易構造により、技術的投資が大幅に節約されることと、簡易構造により、故障の影響が最小限に抑えられることである。さらなる利点は、ドアの動きとは関係がないことにより、密閉デバイスの動作モードの迅速化が可能になることである。さらなる利点は、密閉デバイスの効果が実質的に高められることである。
【００１３】
本発明により、重量とコストの軽減を図るために、エレベータケージにさらなる構成部品を配設すべきではないという長年にわたる当業者の先入観が解消される。しかしながら、このような特定の場合、エレベータケージのケージ開口の周りに、中空本体または電磁石が配設される。さらに、圧縮空気ラインまたは真空ラインが要求される。これらの構成部品が軽量で経済的なものであり、走行の快適性を著しく向上可能であり、エレベータケージの遮音性の機械的構造を著しく単純化可能であることが予期せず判明した。
【００１４】
以下、２つの実施形態に基づいて、本発明についてさらに詳細に説明する。
【発明を実施するための最良の形態】
【００１５】
図１から図４において、エレベータケージ１のケージ壁が参照番号２で示され、エレベータケージ１のケージドアが参照番号３で示されている。図１において、ケージ開口の周囲に、弾性材料で作られた密閉ストリップ４が配設されている。密閉ストリップは、上側部分と（敷居にある）下側部分とからなり、図２にその断面を示す。図２に示す実施形態において、密閉ストリップ４は、第１の壁４１および第２の壁４２を有し、風船のように伸びる中空本体８からなる。中空本体８を引き伸ばすのに必要な圧力は、圧力容器６を用いて圧力源７により生成される。圧縮された空気の供給は、例えば、以下の４つの変形例を用いて実行される。
１．容器の高速充填という利点を備えるが、ノイズの欠点がある圧縮機。
２．稼動音が静かでありモータや駆動装置を追加する必要がないという利点を備える、ドアの動きで動作される機械的ポンプ。ドア駆動／閉鎖力制限器の力が使用されるため、ドアの動きごとに圧力容器を充填するためのポンプ容量が１回分しか利用できず、ドアの動きがなければ、圧力容器が充填されない。
３．高速ケージの場合のケージの前後の圧力差か、ケージとシャフトドアとの間の圧力差の利用。
４．始動中および制動中に加速力により作動される複動式ピストン。
【００１６】
図１に、第２の変形例を示す。圧力源７により圧縮された空気は、圧力容器６内に入る。
【００１７】
図２に示す中空本体８は、ケージドアの自由な開閉に必要なケージ壁２からの間隔が確保される、圧力がない状態にある大きさである。エレベータの走行中、図示されていない開口により、中空本体８内に流れる圧縮空気５は、ケージドア３に押圧されるように風船のように図２に示す弾性中空本体８を膨張させ、その場合、気密性と耐騒音性を確保しながら、ケージドア３とケージ壁２との間のギャップ１１を密閉する。
【００１８】
エレベータケージ１が停止点で停止すると、中空本体８は解放される。中空本体８の材料が受ける弾性は、中空本体８を図２に示す初期形状に戻す。それにより、ケージドアとケージ壁との間のギャップが再度存在するようになり、ドアの開閉中にドアパネルの障害がなく接触のない動きが可能になる。
【００１９】
エレベータケージ１が停止点に移動するとすぐに、エレベータ制御装置は、密閉ストリップ４に供給圧力を与える第１の設定から、密閉ストリップ４を解放する第２の設定へ、方向弁を電磁気的に切り換える。エレベータ制御装置は、すべての圧力スイッチが解放の完了を報告したときのみ、停止点でエレベータケージ１のドアの開閉を解放する。
【００２０】
さらなる実施形態において、大気へ解放する代わりに、密閉ストリップ４を排気することができる。この場合、方向弁の出口は、真空源の吸引ダクトと接続されることになる。排気することで、密封ストリップ４の出発準備状態がより迅速に整うことになる。
【００２１】
図３に、本発明のさらなる好ましい実施形態が示されており、同図において、密閉ストリップ４は、圧縮空気により空気圧式に動作されるのではなく、電磁石９により電磁気的に動作される。
【００２２】
この実施形態において、可撓性の密閉ストリップ４は、ケージ壁２ではなく、ケージドア３に配設される。密閉ストリップ４に追加の鉄製ストリップ１０が埋め込まれ、ケージドア３が閉じられたとき、ケージドアフレームに配設されたロッド状の電磁石９と相互作用する。
【００２３】
エレベータケージ１の移動時にケージドア３が閉じられるとき、電圧により電磁石９が作動することにより、電磁石９と鉄製ストリップ１０との間に電磁吸引力が生じる。それにより、密閉ストリップ４は、ケージ壁２に対して密閉囲い内に引き込まれる。図４ｂは、電磁石９に電圧が印加され、ケージドア３が閉じられ、エレベータケージが移動するときの作動設定状態にある密閉ストリップ４を示す。図４ａは、電磁石９に電圧が印加されておらず、エレベータケージが階層停止している間、ケージドア３が閉または開の状態にあるときの非作動設定状態の密閉ストリップ４を示す。
【００２４】
ロッド状の電磁石は、いくつかの点状の電磁石と取り替えることができる。密閉ストリップ４の鉄製ロッドにより、密閉ストリップ４は、全長にわたって十分な硬度を備えている。また、電磁石９はドアおよびケージ壁の密閉ストリップに設置可能である。電磁石の制御は、ドア制御装置により実行されることが有用である。
【００２５】
本発明の知識を有することで、例示した実施形態の多数の可能な変形が当業者に利用可能である。したがって、例えば、密閉ストリップを電気的に動作させるために、電磁石ではなく圧電素子を使用することも可能である。
【図面の簡単な説明】
【００２６】
【図１】空圧シールを備えたエレベータ出入口の略図である。
【図２】圧縮空気により動作される密閉ストリップの、圧力のない装填状態における略図的断面図である。
【図３】電磁石シールを備えたエレベータ出入口の略図である。
【図４ａ】電磁石により動作される密閉ストリップの、解放状態における略図的断面図である。
【図４ｂ】図４ａに対応するが、作動状態にある図である。
【符号の説明】
【００２７】
１  エレベータケージ
２  ケージ壁
３  ケージドア
４  密閉ストリップ
５  圧縮空気
６  圧力容器
７  圧力源
８  弾性中空本体
９  電磁石
１０  鉄製ストリップ
１１  ギャップ
４１、４２  壁
【図１】
2004284820.tif 000003
【図２】
2004284820.tif 000004
【図３】
2004284820.tif 000005
【図４ａ】
2004284820.tif 000006
【図４ｂ】
2004284820.tif 000007
【手続補正書】
【提出日】平成16年1月15日(2004.1.15)
【手続補正１】
【補正対象書類名】特許請求の範囲
【補正対象項目名】全文
【補正方法】変更
【補正の内容】
【特許請求の範囲】
【請求項１】
ケージの走行中、エレベータケージのケージドアとケージ壁との間のギャップを密閉するためのデバイスであって、密閉ストリップを含み、前記密閉ストリップは、少なくとも１つの壁を有し、前記壁は、前記ギャップを前にして可逆的に引き伸ばしが可能であることを特徴とする、デバイス。
【請求項２】
前記密閉ストリップは、弾性中空本体であり、前記中空本体に、圧縮空気を込める、および／または前記中空本体を真空化することができることを特徴とする、請求項１に記載のデバイス。
【請求項３】
前記密閉ストリップは、鉄製ストリップおよび／または少なくとも１つの電磁石を含み、前記鉄製ストリップおよび前記電磁石は作動可能であることを特徴とする、請求項１に記載のデバイス。
【請求項４】
前記鉄製ストリップは、前記密閉ストリップに埋め込まれ、前記少なくとも１つの電磁石は、ケージドアフレームに配設されることを特徴とする、請求項１に記載のデバイス。
【請求項５】
ケージの走行中、密閉ストリップによりエレベータケージのケージドアとケージ壁との間のギャップを密閉するための方法であって、前記密閉ストリップは、少なくとも１つの壁を有し、前記壁は、前記ギャップを前にして引き伸ばしが可能であることを特徴とする、方法。
【請求項６】
前記密閉ストリップに、圧縮空気を空気圧式に込める、および／または空気圧式に真空化することを特徴とする、請求項５に記載の方法。
【請求項７】
前記密閉ストリップは、少なくとも１つの電磁石および／または鉄製ストリップにより磁気的に作動される、請求項５に記載の方法。
【請求項８】
請求項１から４に記載のデバイスを備えた、エレベータ。
【外国語明細書】
2004284820.tif 000008
2004284820.tif 000009
2004284820.tif 000010
2004284820.tif 000011
2004284820.tif 000012
2004284820.tif 000013
2004284820.tif 000014
2004284820.tif 000015
2004284820.tif 000016
2004284820.tif 000017
2004284820.tif 000018
2004284820.tif 000019
2004284820.tif 000020